(57)【特許請求の範囲】
【請求項１】
ハブ部と上側フランジ部と下側フランジ部とを有する光ディスククランパを遊びを有する状態で格納する光ディスククランパ格納構造において、
上記上側フランジ部が収まる囲い部と、
該囲い部から内周側に張り出して略半周に亘って形成してあり、両端の間にフランジ開口部を有し、上記上側フランジ部を支持すると共に上記ハブ部を囲むフランジ部と、
上記囲い部のうち上記フランジ開口部に対向する部位に該囲い部の内側に突き出して形成してあるリブとを有し、
上記光ディスククランパの遊びのうち上記フランジ開口部の方向以外の方向への遊びについては上記フランジ部の内周縁が上記ハブ部の周面を受け止めて遊びの範囲を制限し、且つ、上記フランジ開口部の方向への遊びについては上記リブが上記上側フランジ部の周縁部を受けて止めて遊びの範囲を制限する構成としたことを特徴とする光ディスククランパ格納構造。
【請求項２】
請求項１の光ディスククランパ格納構造において、該リブは、上側の幅が下側の幅より狭い形状を有することを特徴とする光ディスククランパ格納構造。
【請求項３】
請求項１又は請求項２記載の光ディスククランパ格納構造を有し、
該光ディスククランパに光ディスクがクランプされるターンテーブルと、
該ターンテーブルによって回転される光ディスクの情報を読み取る光学ヘッドとを有する構成としたことを特徴とする光ディスク装置。
【発明の詳細な説明】
【０００１】
【発明の属する技術分野】
本発明は光ディスククランパ格納構造及びこれを備えた光ディスク装置に関する。
【０００２】
【従来の技術】
光ディスク装置の一つのタイプとして、光ディスククランパが格納部に収容してあり、ターンテーブルが上動して、光ディスククランパがターンテーブルと嵌合してターンテーブルに磁気的に吸着され、光ディスクがターンテーブル上にクランプされる構成のものがある。光ディスククランパ格納部は、光ディスククランパが組み込まれうるように入り口部を有する構造で、且つ、組み込まれた光ディスククランパを外れないように支持する構造である。
【０００３】
図１０（Ａ）は従来の光ディスククランパ格納部１０を示す。この光ディスククランパ格納部１０は、囲い部１１とフランジ部１２と組み込み口部１３とよりなる。囲い部１１は、リングの一部が切り欠かれた形状であり、切り欠かれた部分が入り口部１３となっている。組み込み口部１３は出来るだけ狭く形成されてはいるけれども、形状的に特別な工夫はされていない。フランジ部１２は囲い部１１から内周側に張り出している。
【０００４】
光ディスククランパ２０は、リール形状であり、ハブ部２１と、上側フランジ部２２と、下側フランジ部２３とを有する。
【０００５】
光ディスククランパ２０は、下側フランジ部２３を少し撓ませて組み込み口部１３を通して光ディスククランパ格納部１０内に組み込まれており、ハブ部２１がフランジ部１２の内側に位置し、上側フランジ部２２がフランジ部１２に支持されて、光ディスククランパ格納部１０内に動き得る状態で、且つ、入り口部１３から抜け出さない状態で支持されている。
【０００６】
Ｏｃは光ディスククランパ２０の中心、Ｏｈは光ディスククランパ格納部１０の中心である。
【０００７】
ターンテーブルが光ディスクと共に上動すると、光ディスククランパ１０がターンテーブルと嵌合してターンテーブルに磁気的に吸着され、光ディスクがターンテーブル上にクランプされる。
【０００８】
【発明が解決しようとする課題】
光ディスククランパ２０が格納部１０内で動き得る遊びの範囲についてみてみる。Ｘ１、Ｘ２，Ｙ１方向には、ハブ部２１がフランジ部１２に当たる状態まで移動可能である。Ｘ１方向には、図１０（Ｂ）に示すように、δＸ１移動可能である。入り口部１３の方向、即ち、Ｙ２方向には、図１０（Ｃ）に示すように、上側フランジ部２２が囲い部１１の端１１ａ，１１ｂに当たる状態まで、δＹ２移動可能である。
【０００９】
距離δＹ２は距離δＸ１に比べて略２倍と長い。このため、光ディスククランパ２０が格納部１０内でＹ２方向に寄っていた場合には、ターンテーブルが光ディスクと共に上動したときに、光ディスククランパ１０がターンテーブルと正常に嵌合せず、光ディスクのクランプが正常になされない不都合が起こる虞れがあった。
【００１０】
そこで、本発明は、上記課題を解決した光ディスククランパ格納構造及びこれを備えた光ディスク装置を提供することを目的とする。
【００１１】
【課題を解決するための手段】
請求項１の発明は、ハブ部と上側フランジ部と下側フランジ部とを有する光ディスククランパを遊びを有する状態で格納する光ディスククランパ格納構造において、
上記上側フランジ部が収まる囲い部と、
該囲い部から内周側に張り出して略半周に亘って形成してあり、両端の間にフランジ開口部を有し、上記上側フランジ部を支持すると共に上記ハブ部を囲むフランジ部と、
上記囲い部のうち上記フランジ開口部に対向する部位に該囲い部の内側に突き出して形成してあるリブとを有し、
上記光ディスククランパの遊びのうち上記フランジ開口部の方向以外の方向への遊びについては上記フランジ部の内周縁が上記ハブ部の周面を受け止めて遊びの範囲を制限し、且つ、上記フランジ開口部の方向への遊びについては上記リブが上記上側フランジ部の周縁部を受けて止めて遊びの範囲を制限する構成としたものである。
【００１２】
光ディスククランパの光ディスククランパ格納構造内におけるフランジ開口部側への遊びの範囲が従来に比べて制限され、よって、光ディスククランパとターンテーブルとの嵌合が常に正常に行われ、光ディスクのクランプが常に正常になされるようになり、光ディスクのクランプの信頼性が向上する。
【００１３】
請求項２の発明は、請求項１の光ディスククランパ格納構造において、該リブは、上側の幅が下側の幅より狭い形状を有するようにしたものである。
【００１４】
光ディスクがクランプされて光ディスククランパが少し押し上げられた状態で、光ディスククランパの上側フランジ部の周縁部とリブとの間の隙間が、光ディスククランパが押し上げられる前の状態に比べて、広くなる。よって、光ディスククランパが回転している状態で、光ディスククランパがリブと接触して干渉する虞れが解消される。
【００１５】
請求項３の発明は、請求項１又は請求項２記載の光ディスククランパ格納構造を有し、
該光ディスククランパに光ディスクがクランプされるターンテーブルと、
該ターンテーブルによって回転される光ディスクの情報を読み取る光学ヘッドとを有する構成としたものである。
【００１６】
光ディスクのクランプの信頼性が向上した光ディスク装置が実現する。
【００１７】
【発明の実施の形態】
本発明の実施の形態について説明するに、説明の便宜上、先ず、光ディスク装置について概略的に説明する。図１は、ディスクトレイと光学ベースユニットアセンブリを省略して示す。図２（Ａ）、（Ｂ）はディスクトレイを省略して示す。Ｘ１−Ｘ２は幅方向、Ｙ１−Ｙ２は奥行き方向、Ｚ１−Ｚ２は高さ方向である。
【００１８】
光ディスク装置３０は、大略、合成樹脂の成形部品である箱形状のハウジング３１と、ディスクトレイ（図示せず）と、光学ベースユニットアセンブリ４０とを有する構成であり、水平の姿勢で、コンピュータ本体内に組み込まれる。
【００１９】
光学ベースユニットアセンブリ４０は、四角形状の支持ベース４１に、ターンテーブル４２、ターンテーブル４２を回転させるモータ４３、光ディスク７０の情報を読み取る光学ヘッド４４、及び光学ヘッド４４を移動させるモータ（図示せず）等が取り付けられてい
る構造である。この光学ベースユニットアセンブリ４０は、支持ベース４１のＹ１側のＸ１及びＸ２方向に突き出している軸４５をハウジング３１の軸受３２に支持され、且つ、支持ベース４１のＹ２側のロッド４６をハウジング３１に組み付けてあるカム部材３３のカム溝に支持されて、ハウジング３１内に支持されている。光学ベースユニットアセンブリ４０は、光ディスク装置３０が停止しているときには、図２（Ａ）に示すように、Ｙ２側が下がって傾斜しており、ターンテーブル４２は下方に位置している。光ディスク７０は、ＣＤ、ＣＤ−ＲＯＭ、ＣＤ−Ｒ、ＣＤ−ＲＷ、ＤＶＤ等である。
【００２０】
図３に併せて示すように、ターンテーブル４２は、中央に円錐台形状の凸部４２ａを有し、凸部４２ａの中央に孔部４２ｂを有し、凸部４２ａの上面にリング状の永久磁石４２ｃが固定してある構成である。
【００２１】
ハウジング１１は、上面側をＸ１−Ｘ２方向に横切る横架部３４を有し、この横架部３４の中央に、光ディスククランパ格納部５０を有する。この光ディスククランパ格納部５０に、図３に示す光ディスククランパ６０が、図１及び図２（Ａ）に示すように、遊びを有して組み込まれている。
【００２２】
光ディスククランパ６０は、合成樹脂の成形部品であり、リール形状であり、ハブ部６１と、上側フランジ部６３と、下側フランジ部６２とを有する。下面の中央には凹部６４を有し、この凹部６４の中央に下方への凸部６５を有する。凹部６４には、リング形状の鉄板部材６５が組み込まれている。
【００２３】
ディスクトレイ移動機構３５によってディスクトレイが移動され、光ディスク７０がディスクトレイによってハウジング３１内に運び込まれると、カム部材３３がＸ２方向に移動され、カム溝がロッド４６を押し上げて、光学ベースユニットアセンブリ４０は図２（Ｂ）に示すように水平の状態とされる。光ディスク７０はその中心孔付近をターンテーブル４２に支持されてディスクトレイから浮き、光ディスククランパ６０が少し押し上げられ、凸部４２ａが凹部６４と嵌合し、孔部４２ｂが凸部６５と嵌合し、鉄板部材６５が永久磁石４２ｃに吸着され、光ディスク７０がターンテーブル３６上にクランプされる。この後、モータ４３駆動され、光ディスク７０が回転され、この情報が光学ヘッド４４によって読み取られる。光ディスククランパ６０は光ディスククランパ格納部５０に対して非接触の状態とされ、この状態で回転される。
【００２４】
停止操作をすると、光ディスク装置１０は上記の光ディスク７０のローディングとは逆の動作をし、光学ベースユニットアセンブリ３０が図２（Ａ）に示すように傾斜され、続いて、ディスクトレイがＹ２方向に移動され、光ディスク７０はクランプを解除されて、ハウジング３１の外に排出される。
【００２５】
次に、光ディスククランパ格納部５０について説明する。
【００２６】
図４及び図５に併せて示すように、光ディスククランパ格納部５０は、合成樹脂の成形部分であり、囲い部５１と、フランジ部５２と、連結部５３と、リブ５４，５５と、組み込み口部５６と、開口部５７、５８とを有する。
【００２７】
囲い部５１は、リングの一部が切り欠かれた形状であり、約３／４の円の形状であり、切り欠かれた部分が開口部５７となっている。囲い部５１は、光ディスククランパ６０の上側フランジ部６３を収容する。
【００２８】
フランジ部５２は囲い部５１のＺ２側の部分から内周側に張り出しており、約１／２の円の形状である。フランジ部５２の周方向の端の間は、開口部５８となっている。フランジ開口部５８と囲い開口部５７との間に、組み込み口部５６が形成してある。
【００２９】
囲い部５１の内径Ｄ１は、光ディスククランパ６０の上側フランジ部６３の直径Ｄ１１より大きい。フランジ部５２の内径Ｄ２は、光ディスククランパ６０のハブ部６１の直径Ｄ１２より大きい。開口部５７はＸ−Ｚ面であり、組み込み口部５６はＸ−Ｙ面である。Ｗ１は開口部５７のＸ１−Ｘ２方向の幅寸法であり、且つ組み込み口部５６のＹ２端の幅寸法であり、光ディスククランパ６０の上側フランジ部６３の直径Ｄ１１より短く、光ディスククランパ６０の組み込みが可能である必要最少の寸法としてある。Ｗ２はフランジ開口部５８のＸ１−Ｘ２方向の幅寸法であり、光ディスククランパ６０のハブ部６１の直径Ｄ１２と等しい。
【００３０】
連結部５３は、Ｘ１−Ｘ２方向に延在しており、囲い部５１のうち周方向の両端の上端側の間を連結しており、囲い部５１のち横架部３４からＹ２方向に突き出している部分を補強している。
【００３１】
リブ５４，５５は、囲い部５１の周方向の両方の端部５１ａ，５１ｂから、光ディスククランパ格納部５０の中心Ｏｈに向かって突き出しており、幅Ｗ１０である。リブ５４，５５は、後述するように、光ディスククランパ６０のディスククランパ格納部５０内への組み込みを妨害せず、ディスククランパ格納部５０内の光ディスククランパ６０のＹ２方向への遊びの範囲を減らすように機能する。なお、リブ５４，５５は、囲い部５１のうち、フランジ開口部５８と対向する部位に形成されている。
【００３２】
光ディスククランパ６０は、図７（Ａ）に示すように、斜めにし、上側を組み込み口部５６内に入れ、上側フランジ部６３がフランジ部５２の上側となるようにし、図７（Ｂ）、（Ｃ）、（Ｄ）に示すように、斜めに押し込むと共に水平となるようにＹ２側を引き上げ、下側フランジ部６２を少し撓ませてフランジ部５２の下側に潜り込ませることによって、図７（Ｅ）に示すように、ディスククランパ格納部５０内に組み込まれる。ハブ部６１は、フランジ開口部５８を通って、フランジ部５２の内側に入る。リブ５４，５５は、光ディスククランパ６０の光ディスククランパ格納部５０内への組み込みを妨害しない。
【００３３】
組み込まれると、図１、図２（Ａ），図６（Ａ），図７（Ｅ）に示すように、光ディスククランパ６０は、ハブ部６１がフランジ部５２の内側に位置し、上側フランジ部６３がフランジ部５２に支持されて、上側フランジ部６３の一部が開口部５７からＹ２側に突き出し、光ディスククランパ格納部５０内に動き得る状態で、且つ、フランジ開口部５８から抜け出さない状態で支持された状態となる。Ｏｃは光ディスククランパの中心、Ｏｈは光ディスククランパ格納部１０の中心である。
【００３４】
ここで、光ディスククランパ６０が格納部５０内で動き得る遊びの範囲について検討してみる。
【００３５】
Ｙ１、Ｘ１、Ｘ２方向については、光ディスククランパ６０の移動は、図６（Ｂ）、（Ｃ）、（Ｄ）に示すように、ハブ部６１がフランジ部５２の内周縁５２ａに当たることによって制限される。光ディスククランパ６０が自由に動き得る距離はδＹ１ａ、δＸ１ａ、δＸ２ａである。この距離δＹ１ａ、δＸ１ａ、δＸ２ａは共に、短い。
【００３６】
光ディスククランパ６０がフランジ開口部５８をとおって抜け出す方向、即ち、Ｙ２方向についてみると、光ディスククランパ６０の移動は、図６（Ｅ）に示すように、上側フランジ部６３のＹ２側の周縁部がリブ５４，５５に当たることによって制限される。光ディスククランパ６０がＹ２方向に自由に動き得る距離はδＹ２ａである。
【００３７】
ここで、上記のリブ５４，５５が存在しなかった場合には、光ディスククランパ６０は、図６（Ｆ）に示すように、上側フランジ部６３のＹ２側の周縁部が囲い部５１の周方向の両方の端部５１ａ，５１ｂに当たるまで移動し、その移動距離はδＹ２ｂとなってしまう。
【００３８】
上記の距離δＹ２ａは、距離δＹ２ｂの約半分と短く、上記の距離δＹ１ａ、δＸ１ａ、δＸ２ａと同程度である。
【００３９】
よって、光ディスククランパ６０が格納部５０内で動き得る遊びの範囲は全部の方向について短くなり、光ディスククランパ６０が格納部５０内でどの方向に寄っていた場合でも、図２（Ｂ），（Ａ）に示すように、ターンテーブル４２が光ディスクと共に上動したときに、凸部４２ａが凹部６４と確実に嵌合し、孔部４２ｂが凸部６５と確実に嵌合し、光ディスク７０のクランプが正常になされる。
【００４０】
図８は本発明の別の実施例を示す。図８中、図４に示す構成部分と対応する部分には同じ符号を付す。光ディスククランパ格納部５０Ａは、リブ５４Ａ，５５Ａを有する。リブ５４Ａ，５５Ａは、Ｚ１側の幅Ｗ１１がＺ２側の幅Ｗ１０よりも狭い、三角形状である。
【００４１】
この構成によれば、光ディスク７０がクランプされて光ディスククランパ６０が光ディスククランパ格納部５０Ａ内でＺ１方向に少し押し上げられた状態で、光ディスククランパ６０の上側フランジ部６３の周縁部とリブ５４Ａ，５５Ａとの間の隙間が、光ディスククランパ６０が押し上げられる前の状態に比べて、広くなる。よって、光ディスククランパ６０が光ディスククランパ格納部５０Ａ内で回転している状態で、光ディスククランパ６０がリブ５４Ａ，５５Ａと接触して干渉する虞れが解消される。
【００４２】
図９は本発明の更に別の実施例になる光ディスククランパ格納部５０Ｂを示す。図９中、図４に示す構成部分と対応する部分には同じ符号を付す。囲い部５１Ｂは、リング形状であり、切り欠かれてはいず、図４中の開口部５７に対応する開口部は有していない。リブ５４Ｂ，５５Ｂは、囲い部５１Ｂのうち、フランジ開口部５８に対向する位置に形成してある。
【００４３】
【発明の効果】
上述の如く、請求項１の発明によれば、囲い部のうちフランジ開口部に対向する部位にリブを囲い部の内側に突き出して設け、光ディスククランパがフランジ開口部から抜け出す方向に動いた場合に、リブが該光ディスククランパの上側フランジ部の周縁部を受け止める構成としたものであるため、光ディスククランパの光ディスククランパ格納構造内における開口部側への遊びの範囲を従来に比べて制限することが出来、よって、光ディスククランパとターンテーブルとの嵌合が常に正常に行われて光ディスクのクランプが常に正常になされるようにすることが出来、よって、光ディスクのクランプの信頼性を向上させることが出来る。また、リブは光ディスククランパの光ディスククランパ格納構造内への組み込みを妨害せず、光ディスククランパの光ディスククランパ格納構造内への組み込みを支障なく行うことが出来る。
【００４４】
請求項２の発明によれば、請求項１の光ディスククランパ格納構造において、リブの形状を上側の幅が下側の幅より狭い形状を有するようにしたものであるため、光ディスクがクランプされて光ディスククランパが少し押し上げられた状態で、光ディスククランパの上側フランジ部の周縁部とリブとの間の隙間が、光ディスククランパが押し上げられる前の状態に比べて広くなり、よって、光ディスククランパが回転している状態で、光ディスククランパがリブと接触して干渉する虞れを解消することが出来る。
【００４５】
請求項３の発明は、請求項１又は請求項２記載の光ディスククランパ格納構造を有し、光ディスククランパに光ディスクがクランプされるターンテーブルと、ターンテーブルによって回転される光ディスクの情報を読み取る光学ヘッドとを有する構成としたものであるため、光ディスクのクランプの信頼性が向上した光ディスク装置を実現することが出来る。
【図面の簡単な説明】
【図１】本発明の一実施例になる光ディスク装置をディスクトレイと光学ベースユニットアセンブリを省略して示す平面図である。
【図２】本発明の一実施例になる光ディスク装置の側面図である。
【図３】光ディスククランパとターンテーブルとを対向させて示す図である。
【図４】光ディスククランパ格納部を光ディスククランパと併せて示す斜視図である。
【図５】光ディスククランパ格納部を下側からみて示す図である。
【図６】光ディスククランパの光ディスククランパ格納部内における遊びを説明する図である。
【図７】光ディスククランパの光ディスククランパ格納部内への組み込みを説明する図である。
【図８】本発明の別の実施例になる光ディスククランパ格納構造部を示す図である。
【図９】本発明の更に別の実施例になる光ディスククランパ格納構造部を示す図である。
【図１０】従来の光ディスククランパ格納構造部を示す図である。
【符号の説明】
３０  光ディスク装置
３１  ハウジング
３４  横架部
４０  光学ベースユニットアセンブリ
４２  ターンテーブル
４２ａ  凸部
４２ｂ  孔部
４４  光学ヘッド
５０、５０Ａ，５０Ｂ  光ディスククランパ格納部
５１、５１Ｂ  囲い部
５２  フランジ部
５４，５５、５４Ａ，５５Ａ、５４Ｂ，５５Ｂ  リブ
５６  組み込み口部
５７  開口部
５８  フランジ開口部
６０  光ディスククランパ
６１  ハブ部
６２  下側フランジ部
６３  上側フランジ部
６４  凹部
６５  凸部
７０  光ディスク
【図１】
0003716780.tif 000002
【図２】
0003716780.tif 000003
【図３】
0003716780.tif 000004
【図４】
0003716780.tif 000005
【図５】
0003716780.tif 000006
【図６】
0003716780.tif 000007
【図７】
0003716780.tif 000008
【図８】
0003716780.tif 000009
【図９】
0003716780.tif 000010
【図１０】
0003716780.tif 000011